(57)【要約】      （修正有）【課題】ブーツとの結合力を確保しつつ、スノーボードの特性を生かすことができるベースプレートを提供する。【解決手段】ベースプレート１は、スノーボードＳＢの表面に取り付けられ、点線で示すブーツＢを固定するビンディングの主要部品である。ベースプレート１は、本体２が第１本体２ａと第２本体２ｂに分割される。本体２の表面には第１本体２ａと第２本体２ｂに亘って重ねられた天板３が固定される。本体２には、それぞれ貫通穴が設けられ、スノーボードＳＢに取り付けられたボトルスペーサが挿通され、天板３をビス７でボルトスペーサに固定する。本体２が第１本体２ａと第２本体２ｂに分割され、カーボンロッドによって連結されているので、スノーボードＳＢの復元力を強力にバックアップし、スノーボードＳＢに強大な加速力を与えることができる。【選択図】図１
0003213177.tif 000002
【実用新案登録請求の範囲】
【請求項１】
スノーボードに装着されるビンディングのベースプレートであって、
前記スノーボードの表面に設置される板状の本体と、前記本体の表面に固定金具を介して装着される天板とを備え、
前記本体は、前記スノーボードの長手方向に並べて配置可能に第１本体及び第２本体に分割されており、前記第１本体及び前記第２本体にはそれぞれ表裏を貫通する貫通穴が設けられ、
前記固定金具は、前記貫通穴に挿入可能であり、
前記第１本体及び前記第２本体は、前記スノーボードに装着された前記固定金具が前記貫通穴に挿入された状態で前記スノーボードの表面に設置され、
前記天板は、前記第１本体及び前記第２本体に亘って重なる状態で前記固定金具に固定されることを特徴とするベースプレート。
【請求項２】
請求項１に記載のベースプレートであって、
前記第１本体及び前記第２本体に、前記スノーボードの長手方向に延びる複数の挿通穴を設け、
前記挿通穴に挿通可能で、弾性を有する棒状の調整ロッドを複数備え、
前記挿通穴に挿通する前記調整ロッドの本数を変更することで、前記第１本体と前記第２本体との連結強度を調整可能としたことを特徴とするベースプレート。
【請求項３】
請求項２に記載のベースプレートであって、
前記調整ロッドを挿通可能なリング状の弾性体であり、前記第１本体と前記第２本体との間に装着可能な弾性リングを備え、
前記第１本体と前記第２本体との間に装着する枚数を変更することで、前記第１本体と前記第２本体との連結強度を調整可能としたことを特徴とするベースプレート。
【請求項４】
請求項１乃至３のいずれか１項に記載のベースプレートであって、前記第１本体は、前記スノーボードの側辺に沿って長手方向に向けて突出する一対の突出部を備え、前記突出部の間にＵ字状の切り欠き部を有していることを特徴とするベースプレート。
【考案の詳細な説明】
【技術分野】
【０００１】
本考案は、スノーボードに装着されるベースプレートに関する。
【背景技術】
【０００２】
スノーボードには、ブーツをスノーボードに固定するビンディングが取り付けられるが、このビンディングには、ベースプレートと呼ばれる部品を備えている。従来のベースプレートとしては、例えば、特許文献１の図９に開示されているように、左右のブーツの装着箇所にそれぞれ固定されるものが知られている。
【０００３】
この特許文献１に記載されたベースプレートは、平面視で大略長方形状となっており、ブーツのつま先の方向に凹部が形成された形状となっている。また、中央の円形の開口部に円形のディスクプレートが取り付けられ、これによりベースプレートをスノーボードに固定するようになっている。
【０００４】
また、スノーボードにブーツを固定するために使用されるベースプレートは、滑走中にブーツとスノーボードから受ける大きな負荷に耐え、かつ、ブーツから受けるエネルギーをスノーボードに確実に伝達することができるように、一般に金属又はガラス繊維強化樹脂などの高強度の素材から構成されている。
【先行技術文献】
【特許文献】
【０００５】
【特許文献１】特開２０１１−６２４６０号公報
【考案の概要】
【考案が解決しようとする課題】
【０００６】
特許文献１に記載のベースプレートは、スノーボードに固定され、ビンディングによってブーツを固定した状態では、スノーボードとブーツとの間に位置することになる。従って、スノーボーダーの体重移動でボードの滑走方向を変えようとしたとき、或いは滑走面の状態変化によりスノーボードに加わる力が変化したときは、ブーツからベースプレートを介してスノーボードにスノーボーダーの体重が加わる。
【０００７】
このとき、スノーボードには高強度のベースプレートが装着されているので、スノーボード全体としても強度が高くなり、スノーボード自身の弾性によるたわみが抑制される。スノーボード自体は、たわみによって滑走面の変化に対応して滑走面との密着性を高めることにより滑走スピードを上げることができるよう設計されている。
【０００８】
しかしながら、ベースプレートの強度が高いとスノーボードのたわみが抑制され、特性が相殺されるという不都合が生じる。一方で、ベースプレートの強度を下げると、ブーツとの結合力が低下し、滑走中にブーツがスノーボードから離脱するおそれがある。
【０００９】
上記不都合を解消するために、本考案は、ブーツとの結合力を確保しつつ、スノーボードの特性を活かすことができるベースプレートを提供することを目的とする。
【課題を解決するための手段】
【００１０】
上記目的を達成するために、本考案のベースプレートは、スノーボードに装着されるビンディングのベースプレートであって、前記スノーボードの表面に設置される板状の本体と、前記本体の表面に固定金具を介して装着される天板とを備え、前記本体は、前記スノーボードの長手方向に並べて配置可能に第１本体及び第２本体に分割されており、前記第１本体及び前記第２本体にはそれぞれ表裏を貫通する貫通穴が設けられ、前記固定金具は、前記貫通穴に挿入可能であり、前記第１本体及び前記第２本体は、前記スノーボードに装着された前記固定金具が前記貫通穴に挿入された状態で前記スノーボードの表面に設置され、前記天板は、前記第１本体及び前記第２本体に亘って重なる状態で前記固定金具に固定されることを特徴とする。
【００１１】
本考案のベースプレートは、その本体が第１本体と第２本体に分割されている。また、天板が第１本体と第２本体に亘って重なるように載置され、第１本体と第２本体を貫通する固定金具に固定することにより第１本体と第２本体とをスノーボードに固定している。
【００１２】
本発明のベースプレートは、このような構成であるので、スノーボードでの滑走の際に、スノーボードにたわみやねじれが加わると、各第１本体と第２本体の剛性及び天板の弾性によってたわみやねじれを受け止め、各部材による反力をスノーボードに伝達することができる。よって、従来のように、単に１枚の板状の部材で形成されていたベースプレートに比べて、スノーボードに加速力を与えることができる。一方で、第１本体と第２本体とを分けた構成としているので、それぞれの本体の強度を高くしてもスノーボードのたわみを過度に抑制することがないので、ブーツとの結合強度を確保しつつスノーボードの特性を活かすことができる。
【００１３】
また、本考案のベースプレートにおいては、前記第１本体及び前記第２本体に、前記スノーボードの長手方向に延びる複数の挿通穴を設け、前記挿通穴に挿通可能で、弾性を有する棒状の調整ロッドを複数備え、前記挿通穴に挿通する前記調整ロッドの本数を変更することで、前記第１本体と前記第２本体との連結強度を調整可能とすることが好ましい。
【００１４】
スノーボードの滑走時は、雪面の状態やスノーボーダーの個性に応じてスノーボードのたわみ方やねじれ方を調節する必要がある。本考案のベースプレートは、第１本体と第２本体に装着する調整ロッドの本数を変更することにより、スノーボードの特性を容易に変化させることができる。
【００１５】
また、本考案のベースプレートにおいては、前記調整ロッドを挿通可能なリング状の弾性体であり、前記第１本体と前記第２本体との間に装着可能な弾性リングを備え、前記第１本体と前記第２本体との間に装着する枚数を変更することで、前記第１本体と前記第２本体との連結強度を調整可能とすることが好ましい。当該構成によれば、弾性リングの枚数を変更することでスノーボードの特性を容易に変化させることができる。
【００１６】
また、本考案のベースプレートにおいては、前記第１本体は、前記スノーボードの側辺に沿って長手方向に向けて突出する一対の突出部を備え、前記突出部の間にＵ字状の切り欠き部を有していることが好ましい。当該構成によれば、突出部の形状及びＵ字状の切り欠き部の形状を変更することにより、本体のたわみ剛性及びねじれ剛性を変更することができる。
【図面の簡単な説明】
【００１７】
【図１】本考案の実施形態の一例であるベースプレートがスノーボードに装着されている状態を示す説明図。
【図２】本実施形態のベースプレートの構成部品を示す説明図。
【図３】（Ａ）は（Ｂ）のＡ−Ａ線断面図、（Ｂ）は図２の本体の裏面を示す説明図。
【考案を実施するための形態】
【００１８】
次に、本考案の実施形態の１例であるベースプレート１について、図１乃至図３を参照して説明する。図１に示すように、ベースプレート１は、スノーボードＳＢの表面に取り付けられており、点線で示すブーツＢを固定するビンディングの主要部品である。なお、ベースプレート１以外のビンディングの構成は、従来から用いられている構成と同様であるので、本実施形態では説明を省略する。
【００１９】
図１に示すように、スノーボードＳＢは、図１の矢印Ａで示すように左側が進行方向、右側が後退方向となっており、点線で示すブーツＢのつま先側Ｂ１が進行方向を向くように固定され、かかと側Ｂ２が後退方向となる。本実施形態では、図１に示す左右のベースプレート１が左右対称の関係となるように固定されている。
【００２０】
本実施形態のベースプレート１は、スノーボードＳＢの表面に配置される合成樹脂製の本体２と、その本体２の表面に固定される金属製の天板３とを備えており、これらの部材が４本のボルトスペーサ（固定金具）４（図２参照）によりスノーボードＳＢに取り付けられている。
【００２１】
図２は、本実施形態のベースプレート１を構成する部品の説明図である。図２に示すように、ベースプレート１は、天板３、本体２（第１本体２ａ及び第２本体２ｂ）、ボルトスペーサ４、カーボンロッド（調整ロッド）５、及びゴムリング（弾性リング）６等の部品から構成されている。
【００２２】
天板３は、アルミ合金等の素材で形成された厚さ約２ｍｍの金属製の板部材である。天板３の形状は、後述する本体２の突出部２ｃを除く本体２の表面を覆うように形成されている。この天板３の素材及び厚さは適宜選択が可能である。
【００２３】
また、天板３には、その表裏を貫通するスリット３ａが設けられている。このスリット３ａは、ベースプレート１全体の剛性を調整するために設けられており、その形状や隣り合うスリット３ａの間の距離等はスノーボーダーの要求に応じて調整する。また、天板３には、後述するボルトスペーサ４の雌ねじ部４ｃに固定するためのビス７を通す取付穴３ｂが４箇所に設けられている。
【００２４】
本体２は、図２に示すように、大略Ｕ字形状の第１本体２ａと、大略長方形の第２本体２ｂに分割されている。図２は、第１本体２ａ及び第２本体２ｂを表面側から見た図である。第１本体２ａは、スノーボードＳＢの進行方向又は後退方向に向けられる一対の突出部２ｃを有している。この一対の突出部２ｃの間はＵ字状に切りかかれた切り欠き部２ｕとなっている。この突出部２ｃと切り欠き部２ｕによって、第１本体２ａの剛性が決定される。よって、この突出部２ｃと切り欠き部２ｕの形状を変更することにより、ベースプレート１の性能を変更することが可能となる。
【００２５】
第１本体２ａ及び第２本体２ｂには、平面視でそれぞれの本体の対面する部分の略中央部分に貫通穴２ｄが２箇所ずつ形成されている。また、第１本体２ａ及び第２本体２ｂの対向する面には、カーボンロッド５が挿通可能な挿通穴２ｅがそれぞれ４箇所ずつ設けられている。
【００２６】
ボルトスペーサ４は、先端に設けられた雄ねじ部４ａと、六角柱状のスペーサ本体４ｂと、スペーサ本体４ｂに設けられた雌ねじ部４ｃとからなる金属製の部材である。このボルトスペーサ４は、雄ねじ部４ａをスノーボードＳＢに設けられているボルト穴（図示省略）にねじ込んで固定する。このボルトスペーサ４のスペーサ本体４ｂは、第１本体２ａ及び第２本体２ｂに設けられた貫通穴２ｄに挿通される。そして、ビス７が天板３の取付穴３ｂに挿通され、雌ねじ部４ｃにねじ込まれることにより天板３が固定される。
【００２７】
カーボンロッド５は、カーボンファイバー製の円筒状の部材であり、両端部にゴム製のキャップ５ａが固定されている。このカーボンロッド５は、第１本体２ａ及び第２本体２ｂに、０本から４本までの任意の本数を取り付けることにより、ベースプレート１のたわみやねじれを調節するための部材である。
【００２８】
また、ゴムリング６は、カーボンロッド５に装着され、第１本体２ａと第２本体２ｂとの間に設置することが可能な部材である。このゴムリング６は、それぞれのカーボンロッド５に０枚から複数枚（例えば２枚）装着することが可能であり、このゴムリング６の枚数によって、ベースプレート１のたわみやねじれを調節することができる。
【００２９】
次に、図３を参照して、ベースプレート１の裏面について説明する。ベースプレート１の裏面には、第１本体２ａ及び第２本体２ｂ共に、軽量化及び強度向上のためのリブ２ｆが設けられている。このリブ２ｆは、スノーボードＳＢの進退方向に向けて延びる部分と、各リブを幅方向（図３における上下方向）に連結する部分とから構成されている。
【００３０】
図３に示すように、第１本体２ａ及び第２本体２ｂの裏面は、リブ２ｆではない部分が複数の凹部２ｇとなっている。この凹部２ｇの内、図３（Ｂ）において上下両端の凹部２ｇ及び一つ飛ばして内側の凹部２ｇにカーボンロッド５が挿入できる。カーボンロッド５は、本体２の挿通穴２ｅを介して凹部２ｇ内に挿入する。
【００３１】
図３は、第１本体２ａ及び第２本体２ｂに、カーボンロッド５を４本装着した状態を示している。カーボンロッド５の両端のキャップ５ａは、各本体の凹部２ｇに設けられた先端挿入部２ｈに挿入される。
【００３２】
また、図３における符号２ｋはゴム製のクッション材であり、ベースプレート１とスノーボードＳＢとの間に配置されて両部材の緩衝材の役割を果たしている。このクッション材２ｋの素材は、通常のゴム部材の他、ウレタンフォーム、又はシリコーンゴム等を用いることができる。
【００３３】
本実施形態のベースプレート１をスノーボードＳＢに装着する際には、まず、スノーボードＳＢの使用状況に応じて上記各部品を選択し、セッティングを行う。ここで、使用状況とは、スノーボードＳＢを使用する雪面の状態、気温、スノーボーダーの個性（体格、技量、得意ジャンル等）、スノーボードＳＢの形状や固さ等をいう。
【００３４】
例えば、図３に示すように、カーボンロッド５を４本用いて第１本体２ａと第２本体２ｂとを連結する場合は、本体２全体としての剛性が高くなり、ベースプレート１がたわんだ際の復元力が高くなる。この復元力を減らしたい場合は、カーボンロッド５の数を減らせばよい。
【００３５】
また、ゴムリング６をカーボンロッド５に装着して第１本体２ａと第２本体２ｂとの間に挿入すると、第１本体２ａと第２本体２ｂとの間での位置ずれの際の抵抗力が増加する。これにより、ベースプレート１のたわみが抑制され、スノーボードＳＢの特性をハード側に調整することができる。このゴムリング６も、雪面等の状態に応じてその枚数を適宜変更する。
【００３６】
また、天板３も各スノーボーダーに対して特性の異なるものを複数準備しておき、雪面等の状態に応じて使い分けることができる。
【００３７】
ベースプレート１のセッティングが終了した後、ベースプレート１のスノーボードＳＢへの取付を行う。取付作業は、次の通りである。まず、スノーボードＳＢに複数設けられているボルト穴に、一対のベースプレート１取り付け用にボルトスペーサ４の雄ねじ部４ａをねじ込み、このボルトスペーサ４を４本ずつ装着する。
【００３８】
次に、セッティングを行った本体２を、突出部２ｃが進行方向及び後退方向に向くようにスノーボードＳＢ上に設置する。このとき、第１本体２ａ及び第２本体２ｂの取付穴３ｂと４本のボルトスペーサ４の位置を合わせてスノーボードＳＢ上に設置する。そして、本体２の上に天板３をのせて、ビス７を天板３の取付穴３ｂから挿入し、ボルトスペーサ４の雌ねじ部４ｃにビス止めを行う。
【００３９】
次に、本実施形態のベースプレート１をスノーボードＳＢに装着した際の作用について説明する。本実施形態のベースプレート１は、図１に示すようにスノーボードＳＢに２個装着されており、それぞれ第１本体２ａの突出部２ｃを進行方向及び後退方向に向けて装着されている。第１本体２ａと第２本体２ｂとの間には０本から４本の間で調整されたカーボンロッド５が装着され、そのカーボンロッド５には０〜複数枚のゴムリング６が装着されている。
【００４０】
図１に示すように、スノーボーダーの足は、点線で表されたブーツＢの方向に向くようになっており、図１の左側が進行方向となる。この状態でスノーボーダーが雪面を滑走すると、ブーツＢの部分にスノーボーダーの体重が加わり、スノーボードＳＢの裏面からは雪面からの反力が加えられるため、例えば、雪面に凹凸があれば、スノーボードＳＢにたわみが生じる。
【００４１】
スノーボードＳＢの長手方向のたわみが生じたときは、本体２及び天板３を同方向にたわませる荷重がかかる。本実施形態では、本体２が第１本体２ａと第２本体２ｂに分かれており、両部材が天板３及びカーボンロッド５によって連結されている。また、第１本体２ａと第２本体２ｂとの間には、ゴムリング６が装着されている。
【００４２】
このような状態で本体２及び天板３をたわませる方向に荷重がかかると、天板３、カーボンロッド５及びゴムリング６によって生み出される弾性力が、スノーボードＳＢ自身の弾性力と相まって雪面からの荷重に作用し、蓄えられた弾性力が反力となって雪面に作用する。
【００４３】
また、スノーボードＳＢにねじられるような荷重が加わったときも、天板３及びカーボンロッド５がねじられ、このねじれにより生じる弾性力がスノーボードＳＢに加えられ、雪面に作用する。
【００４４】
これらの各部材は、雪面の状況等によってセッティングされた特性を有しているため、その雪面に適応した反力が雪面に加えられる。結果として、天板３、カーボンロッド５及びゴムリング６によって生じる復元力が、スノーボードＳＢの復元力を強力にバックアップし、スノーボードＳＢに強大な加速力を与えることになる。また、ベースプレート１のセッティングによっては、雪面の凹凸への追従性能を上げることもでき、スノーボーダーの好みに応じて様々なセッティングを行うことができる。
【００４５】
このように、本実施形態のベースプレート１によれば、雪面の状態、スノーボーダーの個性等に応じて最適なセッティングを容易に行うことができ、スノーボードＳＢに強大な加速力や対応力を与えることができ、或いはスノーボーダーの好みに応じて様々なセッティングを行うことができるという優れた作用効果をもたらすことができる。
【００４６】
なお、上記実施形態においては、本体２の材質を合成樹脂としているが、繊維強化樹脂のようなものを用いてもよく、金属としてもよい。また、天板３の材質を金属としているが、これに限らず、繊維強化樹脂等の合成樹脂を用いてもよい。また、調整ロッドとしてカーボンロッド５を用いているが、これに限らず、金属製のロッドとしてもよい。
【００４７】
又、上記実施形態では、本体２は、カーボンロッド５が４本装着できるように形成されているが、これに限らず、２本装着できるようにしてもよく、３本又は他の本数を装着できるようにしてもよい。
【符号の説明】
【００４８】
１…ベースプレート、２…本体、２ａ…第１本体、２ｂ…第２本体、２ｃ…突出部、２ｄ…貫通穴、２ｅ…挿通穴、２ｕ…切り欠き部、３…天板、４…ボルトスペーサ（固定金具）、５…カーボンロッド（調整ロッド）、６…ゴムリング（弾性リング）、ＳＢ…スノーボード、Ｂ…ブーツ。
【図１】
0003213177.tif 000003
【図２】
0003213177.tif 000004
【図３】
0003213177.tif 000005